【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
搬送業者を介する製品輸送システムであって、
製品に物理的に付随する環境センサーであって、前記搬送業者の物流ネットワークを介する前記製品の輸送中に、前記製品と共に移動する際に製品環境データを記録するように構成された環境センサーと、
前記搬送業者の物流ネットワーク内の１つ以上の場所で前記センサーから前記製品環境データを読み取る少なくとも１つのスキャナーと、
前記少なくとも１つのスキャナーと通信するように接続されたコンピュータであって、前記製品環境データに基づいて、前記製品の前記環境条件が輸送中に限度を超えたか否かを判断し、前記環境条件が前記限度を超えたという判断が確立していない限り前記搬送業者の物流ネットワークを介して第１の受取人に前記製品を配送し、前記環境条件が前記限度を超えたという判断が確立すると、前記第１の受取人とは異なる第２の受取人に前記搬送業者の物流ネットワークを介して前記製品を再配送するように構成されたコンピュータとを備え、
前記製品と関連付けられた環境センサは、該環境センサによって自動的に作動される視覚インジケータを備え、前記環境条件が、前記製品について前記限度を越えたと判断すると、前記視覚インジケータが、前記製品は前記第２の受取人に再配送されるべきであることを搬送者に視覚的に警告し、前記視覚インジケータは、その視覚的外観を変化させることにより、前記環境条件が前記限度を越えたと判断するために該視覚インジケータからデータ又はテキストを前記搬送者が読み取ることを要求することなく、前記搬送者に警告する、システム。
【請求項２】
前記再配送が、前記第２の受取人への前記製品の輸送を実行するために、前記搬送業者の物流ネットワーク内の少なくとも１つのポイントに前記コンピュータが送信する更新輸送命令を前記コンピュータによって生成するステップを備える、請求項１に記載のシステム。
【請求項３】
前記センサーが前記第１の受取人および前記第２の受取人の出荷先住所データを記憶する、請求項１に記載のシステム。
【請求項４】
前記スキャナーがさらに、前記製品に関連する識別データを走査するために使用される、請求項１に記載のシステム。
【請求項５】
前記センサーが時間データを生成し、前記環境条件の検知時間を示すための前記時間データに関連する製品環境データを記憶する、請求項１に記載のシステム。
【請求項６】
前記視覚インジケータが、前記製品がさらされる、前記限度を超えた前記環境条件に応答して点灯する少なくとも１つの発光ダイオード（ＬＥＤ）を備える、請求項１に記載のシステム。
【請求項７】
前記センサーが無線周波数識別（ＲＦＩＤ）センサータグを備え、前記スキャナーは、前記センサーの走査実行時に前記タグから無線周波数信号を送受信する、請求項１に記載のシステム。
【請求項８】
前記センサーが、輸送中に前記製品を保持するために使用されるコンテナ内に配置される、請求項１に記載のシステム。
【請求項９】
前記センサーが、輸送中に前記製品を保持するために使用されるコンテナの外面に貼付される、請求項１に記載のシステム。
【請求項１０】
前記センサーが前記製品上に配置される、請求項１に記載のシステム。
【請求項１１】
前記製品環境データを生成するために前記センサーによって検知される前記環境条件は、温度、圧力、真空度、振動、衝撃、湿度、水分、光、空気および化学物質のうちの少なくとも１つを含む、請求項１に記載のシステム。
【請求項１２】
前記センサーが温度センサーを備え、前記センサーによって生成された前記製品環境データは、前記製品が暴露されていた温度レベルの少なくとも１つの測定結果を備える、請求項１に記載のシステム。
【請求項１３】
前記センサーが圧力センサーを備え、前記圧力センサーによって生成された前記製品環境データは、前記製品が暴露されていた圧力レベルの少なくとも１つの測定結果を備える、請求項１に記載のシステム。
【請求項１４】
前記センサーが真空度センサーを備え、前記真空度センサーによって生成された前記製品環境データは、前記製品が暴露されていた真空レベルの少なくとも１つの測定結果を備える、請求項１に記載のシステム。
【請求項１５】
前記センサーが光センサーを備え、前記光センサーによって生成された前記製品環境データは、前記製品が暴露されていた光量の少なくとも１つの測定結果を備える、請求項１に記載のシステム。
【請求項１６】
前記センサーが化学物質センサーを備え、前記化学物質センサーによって生成された前記製品環境データは、前記製品が暴露されていた化学物質量の少なくとも１つの測定結果を備える、請求項１に記載のシステム。
【請求項１７】
前記センサーが空気センサーを備え、前記空気センサーによって生成された前記製品環境データは、前記製品が暴露されていた空気量の少なくとも１つの測定結果を備える、請求項１に記載のシステム。
【請求項１８】
前記センサーが振動センサーを備え、前記振動センサーによって生成された前記製品環境データは、前記製品が暴露されていた振動量の少なくとも１つの測定結果を備える、請求項１に記載のシステム。
【請求項１９】
前記センサーが衝撃センサーを備え、前記衝撃センサーによって生成された前記製品環境データは、前記製品が暴露されていた衝撃量の少なくとも１つの測定結果を備える、請求項１に記載のシステム。
【請求項２０】
前記センサーが湿度センサーを備え、前記湿度センサーによって生成された前記製品環境データは、前記製品が暴露されていた湿度量の少なくとも１つの測定結果を備える、請求項１に記載のシステム。
【請求項２１】
前記センサーが水分センサーを備え、前記水分センサーによって生成された前記製品環境データは、前記製品が暴露されていた水分量の少なくとも１つの測定結果を備える、請求項１に記載のシステム。
【請求項２２】
搬送業者を介する製品輸送方法であって、
前記搬送業者による輸送中に、環境センサが前記製品と共に移動するように、該環境センサーを前記製品に物理的に付随させるステップと、
前記搬送業者の物流ネットワーク内の場所で前記環境センサーから製品環境データを読み取るステップであって、前記製品環境データは輸送中に前記環境センサーによって記録されている、ステップと、
前記製品環境データに基づいて、前記製品の前記環境条件が輸送中に限度を超えたか否かを判断するステップと、
前記環境条件が前記限度を超えたという判断が確立していない限り前記製品を前記搬送業者の物流ネットワークを介して第１の受取人に配送するステップと、
前記環境条件が前記限度を超えたという判断が確立する場合、前記第１の受取人とは異なる第２の受取人に前記搬送業者の物流ネットワークを介して前記製品を再配送するステップとを含み、
前記製品と関連付けられた環境センサは、該環境センサによって自動的に作動される視覚インジケータを備え、前記環境条件が、前記製品について前記限度を越えたと判断すると、前記視覚インジケータが、前記製品は前記第２の受取人に再配送されるべきであることを搬送者に視覚的に警告し、前記視覚インジケータは、その視覚的外観を変化させることにより、前記環境条件が前記限度を越えたと判断するために該視覚インジケータからデータ又はテキストを前記搬送者が読み取ることを要求することなく、前記搬送者に警告する、方法。
【請求項２３】
前記再配送ステップが、前記第２の受取人への前記製品の輸送を実行するためにコンピュータシステムが前記搬送業者の物流ネットワーク内の少なくとも１つのポイントに送信する更新輸送命令を前記コンピュータシステムによって生成するステップを含む、請求項２２に記載の方法。
【請求項２４】
前記センサーが、輸送中に前記製品を保持するために使用されるコンテナ内に配置される、請求項２２に記載の方法。
【請求項２５】
前記センサーが前記コンテナ内の前記製品上に配置される、請求項２４に記載の方法。
【請求項２６】
前記製品環境データを生成するために前記センサーによって検知される前記環境条件が、温度、圧力、真空度、振動、衝撃、湿度、水分、光、空気および化学物質のうちの少なくとも１つを含む、請求項２２に記載の方法。
【請求項２７】
製品識別データに関連する前記製品環境データを受信するステップと、
前記製品識別データに関連する前記製品環境データをデータベースに記憶するステップと、
前記製品識別データに関連する追跡データを受信するステップであって、前記追跡データが、前記搬送業者の物流ネットワーク内のいつ、どこで前記製品の少なくとも１回の走査が実行されたかを識別するステップと、
前記製品識別データおよび前記製品環境データに関連する前記追跡データを前記データベースに記憶するステップとをさらに含む、請求項２２に記載の方法。
【請求項２８】
前記製品識別データが、前記搬送業者の物流ネットワーク内の前記製品を一意に識別する追跡識別子を備える、請求項２７に記載の方法。
【請求項２９】
遠隔コンピュータデバイスからのリクエストを受信して、前記搬送業者の物流ネットワークを介する前記製品の移動に関連する情報にアクセスするステップと、
前記リクエストに応答して、前記製品についての前記追跡データに関連する前記製品環境データを前記遠隔コンピュータデバイスに送信するステップとをさらに含む、請求項２７に記載の方法。
【請求項３０】
前記遠隔コンピュータデバイスから受信された前記リクエストが、前記リクエストをしたユーザを識別するためのユーザ識別データを備え、さらに、
前記ユーザ識別データに基づいて、前記ユーザが前記製品環境データへのアクセスを許可されているか否かを判断するステップと、
前記ユーザが前記製品環境データへのアクセスを許可されているという判断が確立する場合、前記製品環境データを前記ユーザに選択的に送信するステップとをさらに含む、請求項２９に記載の方法。
【請求項３１】
前記視覚インジケータは、前記製品が前記限界を超える前記環境条件に応じて、色を変化させるセンサストリップを備える、請求項２２に記載の方法。
【請求項３２】
前記センサストリップは、温度の変化に応じて、色を変化させるペーパー温度計又は液晶温度ストリップを備える、請求項３１に記載の方法。
【請求項３３】
前記センサストリップは、化学物質の存在に応じて、色を変化させる電気化学センサーストリップを備える、請求項３１に記載の方法。
【請求項３４】
前記視覚インジケータは、前記製品が前記限界を超える前記環境条件に応じて、色を変化させるセンサストリップを備える、請求項１に記載のシステム。
【請求項３５】
前記センサストリップは、温度の変化に応じて、色を変化させるペーパー温度計又は液晶温度ストリップを備える、請求項３４に記載のシステム。
【請求項３６】
前記センサストリップは、化学物質の存在に応じて、色を変化させる電気化学センサーストリップを備える、請求項３４に記載のシステム。
【請求項３７】
前記コンピュータは、
製品識別データに関連する前記製品環境データを受信するステップと、
前記製品識別データに関連する前記製品環境データをデータベースに記憶し、
前記製品識別データに関連する追跡データを受信するステップであって、前記追跡データが、前記搬送業者の物流ネットワーク内のいつ、どこで前記製品の少なくとも１回の走査が実行されたかを識別し、
前記製品識別データおよび前記製品環境データに関連する前記追跡データを前記データベースに記憶するようにさらに構成された、請求項１に記載のシステム。
【請求項３８】
前記製品識別データが、前記搬送業者の物流ネットワーク内の前記製品を一意に識別する追跡識別子を備える、請求項３７に記載のシステム。
【請求項３９】
前記製品と関連付けられた出荷ラベルは、前記第１の受取人の出荷先住所を示す出荷先住所データを含む、請求項２２に記載の方法。
【請求項４０】
前記センサは、前記第１の受取人及び前記第２の受取人の出荷先住所データを記憶する、請求項２２に記載の方法。
【請求項４１】
前記判断は、前記センサが、前記読み取るステップ中に取り込まれる判断データを生成することによって行なわれる、請求項２２に記載の方法。
【請求項４２】
前記センサーが時間データを生成し、前記環境条件の検知時間を示すための前記時間データに関連する製品環境データを記憶する、請求項２２に記載の方法。
【請求項４３】
前記視覚インジケータが、前記製品がさらされる、前記限度を超えた前記環境条件に応答して点灯する少なくとも１つの発光ダイオード（ＬＥＤ）を備える、請求項２２に記載の方法。
【請求項４４】
前記センサーが無線周波数識別（ＲＦＩＤ）センサータグを備え、スキャナーが、前記タグから無線周波数信号を送受信することによって、前記読み取るステップを実行する、請求項２２に記載の方法。
【請求項４５】
前記センサーが、輸送中に前記製品を保持するために使用されるコンテナの外面に貼付される、請求項２２に記載の方法。
【請求項４６】
前記センサーが温度センサーを備え、前記温度センサーによって生成された前記製品環境データは、前記製品が暴露されていた温度レベルの少なくとも１つの測定結果を備える、請求項２２に記載の方法。
【請求項４７】
前記センサーが振動センサーを備え、前記振動センサーによって生成された前記製品環境データは、前記製品が暴露されていた振動量の少なくとも１つの測定結果を備える、請求項２２に記載の方法。
【請求項４８】
前記センサーが衝撃センサーを備え、前記衝撃センサーによって生成された前記製品環境データは、前記製品が暴露されていた衝撃量の少なくとも１つの測定結果を備える、請求項２２に記載の方法。
【請求項４９】
前記センサーが湿度センサーを備え、前記湿度センサーによって生成された前記製品環境データは、前記製品が暴露されていた湿度量の少なくとも１つの測定結果を備える、請求項２２に記載の方法。
【請求項５０】
前記センサーが水分センサーを備え、前記水分センサーによって生成された前記製品環境データは、前記製品が暴露されていた水分量の少なくとも１つの測定結果を備える、請求項２２に記載の方法。